(57)【要約】【課題】電力ケーブルと手持型機器との間に連続的に回転できる接続部を有することができる改善された電気接続部を提供する。【解決手段】ハウジングと、ハウジング内の部品に電力を供給する電力ケーブルとを開示し、電力ケーブルは、回転接続部を介して機器に取り付けられ、回転接続部は、セパレータによって分離された２つの長手方向に離間したコネクタを有するオスコネクタと、２つの長手方向に離間したレセプタクルを有するメスコネクタとを含む。２つの長手方向に離間したレセプタクルは、実質的に同一とすることができ、長手方向に離間したコネクタを受け取るように成形することができ、ベース部分と２つの直立部分とを有してＵ字形を形成することができる。【選択図】図２ａ
2018043010.tif 000002
【特許請求の範囲】
【請求項１】
ハウジングと、該ハウジング内の部品に電力を供給する電力ケーブルとを備えた手持型機器であって、前記電力ケーブルは、回転接続部を介して前記機器に取り付けられ、前記回転接続部は、セパレータによって分離された２つの長手方向に離間したコネクタを有するオスコネクタと、２つの長手方向に離間したレセプタクルを有するメスコネクタとを含み、前記２つの長手方向に離間したレセプタクルの少なくとも一方は、コネクタに接触する２又は３以上の独立して動くことができるフィンガを含む、
ことを特徴とする手持型機器。
【請求項２】
前記２つの長手方向に離間したレセプタクルは、実質的に同一である、
請求項１に記載の機器。
【請求項３】
前記２つの長手方向に離間したレセプタクルは、前記長手方向に離間したコネクタを受け取るように形状づけられる、
請求項１又は２に記載の機器。
【請求項４】
前記２つの長手方向に離間したレセプタクルは、ベース部分と２つの直立部分とを有してＵ字形を形成する、
請求項１から３のいずれかに記載の機器。
【請求項５】
前記２つの直立部分は、前記ベース部分から延びる第１の直線区分を有する、
請求項４に記載の機器。
【請求項６】
前記２つの直立部分は、長手方向に離間したコネクタを受け取るように適合された、前記第１の区分から延びる第２の区分を有する、
請求項５に記載の機器。
【請求項７】
前記２つの直立部分は、長手方向に離間したコネクタを挿入できる開口部を提供する、前記第２の区分から延びる第３の区分を有する、
請求項５又は６に記載の機器。
【請求項８】
ハウジングと、該ハウジング内の部品に電力を供給する電力ケーブルとを備えた手持型機器であって、前記電力ケーブルは、回転接続部を介して前記機器に取り付けられ、前記回転接続部は、オスコネクタとメスコネクタとを含み、前記メスコネクタは、長手方向軸に沿って延び、前記オスコネクタは、前記長手方向軸に直交して挿入されることによって前記メスコネクタに接続される、
ことを特徴とする手持型機器。
【請求項９】
前記ハウジングは、前記メスコネクタを前記ハウジングに対して保持するホルダーを含む、
請求項１から８のいずれかに記載の機器。
【請求項１０】
前記ホルダーは、２部品の形で設けられ、前記オスコネクタは、前記ホルダーの第１の部品に挿入される、
請求項９に記載の機器。
【請求項１１】
前記ホルダーは、前記オスコネクタを受け取って保持するように適合された開口部を一端に含む、
請求項９又は１０に記載の機器。
【請求項１２】
前記オスコネクタは、該オスコネクタの周囲で半径方向に広がる支持面を提供する、
請求項１から１１のいずれかに記載の機器。
【請求項１３】
前記オスコネクタは、第１の端部及び第２の端部を有し、前記支持面は、前記オスコネクタの前記第１の端部に隣接する、
請求項１２に記載の機器。
【請求項１４】
前記支持面は、前記オスコネクタの直径の周囲に広がるカラーである、
請求項１２又は１３に記載の機器。
【請求項１５】
前記支持面は、前記ホルダーの周囲に広がるリングに係合する、
請求項１２から１４のいずれかに記載の機器。
【請求項１６】
前記ホルダーは、前記オスコネクタを受け取って保持するように適合された開口部を一端に含み、前記リングは、前記開口部の内面である、
請求項１５に記載の機器。
【請求項１７】
第２の支持面が設けられる、
請求項１から１６のいずれかに記載の機器。
【請求項１８】
前記第２の支持面は、前記オスコネクタの前記第２の端部又はその付近に位置する、
請求項１７に記載の機器。
【請求項１９】
前記オスコネクタは、保持機構を提供する、
請求項１から１８のいずれかに記載の機器。
【請求項２０】
前記保持機構は、前記オスコネクタの周囲に広がる保持リングである、
請求項１９に記載の機器。
【請求項２１】
前記ホルダーは、前記オスコネクタを受け取って保持するように適合された開口部を一端に含み、前記保持リングは、前記開口部の内面に当接し、前記開口部よりも直径が大きい、
請求項２０に記載の機器。
【請求項２２】
第２の保持機構が設けられる、
請求項１９から２１のいずれかに記載の機器。
【請求項２３】
前記オスコネクタは、第１の端部及び第２の端部を有し、前記第２の保持機構は、前記オスコネクタの第２の端部又はその付近に設けられる、
請求項２２に記載の機器。
【請求項２４】
前記オスコネクタは、第１の端部及び第２の端部を有し、前記第２の保持機構は、前記セパレータに隣接して設けられる、
請求項２２に記載の機器。
【請求項２５】
前記機器は、ヘアケア機器である、
請求項１から２４のいずれかに記載の機器。
【請求項２６】
前記ヘアケア機器は、温風整髪機器である、
請求項２５に記載の機器。
【発明の詳細な説明】
【技術分野】
【０００１】
本発明は、手持型機器と電力ケーブルとの間の、特にヘアケア機器のための回転接続部に関する。
【背景技術】
【０００２】
手持型機器の電力ケーブルには２つの形態がある。第１に、電動工具又はヘアドライヤーなどの、ユーザに対する機器の回転が起こりそうにない場合のものである。第２に、温風整髪機器、ストレートアイロン及びカーリング装置、例えばトング、ワンド又はアイロンなどの、ユーザに対する機器の回転が機器の機能にとって重要な場合のものである。第２の例には、接触を大きく失うことなく電力ケーブルからの電力を機器内のヒーター及び／又はファンユニットに供給できるように、連続的に回転する電気接続部を設けるという要件が存在し、そうでなければ、温度及び／又は流量の低下、或いは長い整髪時間によってユーザが接続の喪失に気付く可能性がある。
【発明の概要】
【発明が解決しようとする課題】
【０００３】
本発明は、電力ケーブルと手持型機器との間に連続的に回転できる接続部を有することができる改善された電気接続部を提供しようとするものである。また、本発明は、製品を少なくとも部分的に分解しない限りオスコネクタを取り外すことができない回転接続部を提供しようとするものである。
【課題を解決するための手段】
【０００４】
第１の態様によれば、本発明は、電力ケーブルと手持型機器との間の回転接続部であって、セパレータによって分離された２つの長手方向に離間したコネクタを有するオスコネクタと、２つの長手方向に離間したレセプタクルを有するメスコネクタとを含む、回転接続部を提供する。
【０００５】
本発明は、ハウジングと、ハウジング内の部品に電力を供給する電力ケーブルとを含む手持型機器であって、電力ケーブルが、回転接続部を介して機器に取り付けられ、回転接続部が、セパレータによって分離された２つの長手方向に離間したコネクタを有するオスコネクタと、２つの長手方向に離間したレセプタクルを有するメスコネクタとを含む手持型機器を提供する。
【０００６】
２つの長手方向に離間したレセプタクルは、実質的に同一であることが好ましい。
【０００７】
好ましい実施形態では、２つの長手方向に離間したレセプタクルが同じ形状である。２つの長手方向に離間したレセプタクルは、同じサイズであることが好ましい。
【０００８】
２つの長手方向に離間したレセプタクルは、長手方向に離間したコネクタを受け取るように成形されることが好ましい。
【０００９】
２つの長手方向に離間したレセプタクルは、ベース部分と２つの直立部分とを有してＵ字形を形成することが好ましい。好ましい実施形態では、２つの直立部分が３つの区分を有し、ベース部分から第１の直線区分が延びることが好ましい。第１の区分からは、長手方向に離間したコネクタを受け取るように適合された第２の区分が延びる。第２の区分からは、長手方向に離間したコネクタを挿入できる開口部を提供する第３の区分が延びる。
【００１０】
第２の区分は、湾曲することが好ましい。好ましい実施形態では、第２の区分が凸状であり、すなわちベース部分から外向きに湾曲する。直立部分の第２の区分が第３の区分に接する箇所では、レセプタクルの直立部分間の距離が、長手方向に離間したコネクタの直径よりも小さい。この特徴は、オスコネクタをレセプタクル内に保持するのに役立つ。第３の区分は、長手方向に離間したコネクタを受け取るように外向きに広がることが好ましい。２つの長手方向に離間したレセプタクルは、可撓性であってわずかに弾力性があり、長手方向に離間したコネクタの挿入と、長手方向に離間したレセプタクル内における長手方向に離間したコネクタの保持とに役立つ。
【００１１】
２つの長手方向に離間したレセプタクルの少なくとも一方は、コネクタに接触する２又は３以上の独立して動くことができるフィンガを含むことが好ましい。好ましい実施形態では、レセプタクルの２つの直立部分の各々が、ベース部分から延びるフィンガと見なすことができる少なくとも２つの部品を含む。従って、この実施形態では、直立部分が分割されて、単一のコネクタに２又は３以上の別個の接続部を提供する。直立部分は、長手方向に分割されて、それぞれが独立した複数の接触部を提供し、従って接続部が回転すると、直立部分の各部品がコネクタに対して独立して撓むことができる。これにより、回転接続部間で信号が失われる可能性、又は信号が失われる時間の長さが減少する。信号が失われると機器への電力が失われ、問題を引き起こす恐れがある。
【００１２】
多くの回転式コネクタは、長手方向軸に沿って離間した２又は３以上のレセプタクルを有し、この長手方向軸に沿った動きによって接続が行われる。対照的に、本発明は、２つのレセプタクルが長手方向軸に沿って離間するが、長手方向軸に直交して動くオスコネクタによって接続が行われる回転式コネクタを提供する。
【００１３】
従って、第２の態様によれば、本発明は、電力ケーブルと手持型機器との間の回転接続部であって、オスコネクタとメスコネクタとを含み、メスコネクタが長手方向軸に沿って延び、オスコネクタが、長手方向軸に直交して挿入されることによってメスコネクタに接続される回転接続部を提供する。
【００１４】
本発明は、ハウジングと、ハウジング内の部品に電力を供給する電力ケーブルとを含む手持型機器であって、電力ケーブルが、回転接続部を介して機器に取り付けられ、回転接続部が、オスコネクタとメスコネクタとを含み、メスコネクタが、長手方向軸に沿って延び、オスコネクタが、長手方向軸に直交して挿入されることによってメスコネクタに接続される手持型機器を提供する。
【００１５】
この機器は、ハウジングを含み、ハウジングは、メスコネクタをハウジングに対して保持するホルダーを含むことが好ましい。ホルダーは、２部品の形で設けられ、オスコネクタは、ホルダーの第１の部品に挿入されることが好ましい。オスコネクタを挿入したら、オスコネクタをハウジング内に保持する第１の部品にホルダーの第２の部品を取り付ける。
【００１６】
オスコネクタには、電力ケーブルが取り付けられ、ホルダーは、機器から電力ケーブルを出す開口部を含むことが好ましい。ホルダーは、オスコネクタを受け取って保持するように適合された開口部を一端に含むことが好ましい。ホルダーの第１の部品及び第２の部分は、いずれも開口部の一部を含むことが好ましい。
【００１７】
好ましい実施形態では、ホルダーが、第１の区画及び第２の区画を含む。長手方向に離間した２つのレセプタクルの一方は、第１及び第２の区画の一方の内部に配置されることが好ましい。好ましい実施形態では、第１の区画が、隔壁によって第２の区画から分離される。隔壁は、ハウジングの半径方向内向きに延び、メスコネクタの長手方向軸と実質的に直交することが好ましい。ホルダーは、２つの長手方向に離間したレセプタクルの各々をハウジングに対して保持し、形成された２つの電気接続部の分離を維持するように機能する。
【００１８】
メスコネクタは、本体の端部に設けられることが好ましい。
【００１９】
長手方向に離間したコネクタは、同じ直径であることが好ましい。
【００２０】
好ましい実施形態では、オスコネクタが、その周囲に半径方向に広がる支持面を提供する。これにより、電力ケーブルと機器との相対的回転が促される。１つの実施形態では、オスコネクタが、第１の端部及び第２の端部を有し、支持面が、オスコネクタの第１の端部に隣接する。第１の端部は、電力ケーブルに接続される。従来、機器に隣接する、従ってオスコネクタの第１の端部に隣接する電力ケーブルに加わる力に対する強度及び弾性をもたらすように、張力緩和部が電力ケーブルの短い長さに沿って設けられる。支持面は、オスコネクタの直径の周囲に広がるカラーであることが好ましい。支持面は、ホルダーの周囲に広がるリングに係合することが好ましい。リングは、ホルダーの開口部の内面であることが好ましい。
【００２１】
第２の支持面は、オスコネクタに沿って支持面から線形的（直線的に）に離間することが好ましい。この第２の支持面は、相対的回転の軸方向整列を保持するのに役立つ。支持面及び第２の支持面は、オスコネクタの各端部又はその付近にそれぞれ位置することが好ましい。従って、２つの長手方向に離間したコネクタは、支持面と第２の支持面との間に位置する。支持面及び選択的な第２の支持面は、２つの長手方向に離間したコネクタよりも大きな直径を有する。第２の支持面は、オスコネクタの第２の端部又はその付近に位置することが好ましい。これにより、オスコネクタが機器に対して回転した時にオスコネクタの安定性が最大化される。
【００２２】
オスコネクタは、保持機構を提供することが好ましい。保持機構が提供される場合、その直径は、長手方向に離間したコネクタ及び支持面よりも大きい。保持機構は、第１の支持面に隣接することが好ましい。このようにして、電力ケーブルに力が加わった時にオスコネクタが機器から外れるのを防ぐことが好都合である。
【００２３】
保持機構は、機器の使用中に摩耗するのを防止し、従って好ましい実施形態では、保持機構が損傷した場合、第２の保持機構は、オスコネクタが機器から完全に外れるのを防ぐ。或いは、第２の保持機構は、セパレータに隣接して設けられる。
【００２４】
支持面、セパレータ及び保持機構は、全て導電性のピン上にオーバーモールドされる。従って、支持面及び保持機構は、単一の成形部品として設けられることが好ましい。また、第２の保持機構は、設けられる場合には、第２の支持面又はセパレータのいずれかと共に単一部品として成形される。
【００２５】
好ましい実施形態では、機器がヘアケア機器であり、好ましくは温風整髪装置である。
【００２６】
以下、添付図面を参照しながら本発明を一例として説明する。
【図面の簡単な説明】
【００２７】
【図１】本発明による張力緩和部を使用できる機器の例を示す図である。
【図２ａ】本発明による張力緩和部の等角図である。
【図２ｂ】図２ａのメスコネクタの等角図である。
【図２ｃ】図２ｂのメスコネクタの断面図である。
【図３】図１の機器のハウジングで部分的に囲まれた張力緩和部の等角図である。
【図４】図１の機器の断面図である。
【図５】図４に示すホルダーの平面図である。
【図６】別のメスコネクタの等角図である。
【図７】図２ａに示すオスコネクタの側面図である。
【図８】別のオスコネクタの側面図である。
【発明を実施するための形態】
【００２８】
図１に、手持型機器１０の例を示す。この機器は、ハンドル２１０と、整髪用の付属品２０とを有する。ユーザによる異なるスタイルの創造を可能にして機器に多機能性を与えるために、付属品２０は取り外し式であり、別の付属品に交換することができる。また、未使用時には、機器を容易に保管できるように付属品２０を取り外すこともできる。ハンドル２１０は、ユーザが複数の異なる熱設定及び流量設定から選択を行えるようにする複数の異なるユーザ操作ボタン３８、１３８を含む。通常、ハンドル２１０は、ファンユニット及びヒーターを含む。使用時には、ファンユニットが流体入口２１２を通じて流体を引き込み、ヒーターを通じて選択的に流体を加熱した後に、付属品２０の流体出口２２によって流体を排出する。
【００２９】
次に、図２ａ〜図２ｃに示すように、機器１０は、主電源と、電力ケーブル１０２とを使用して給電され、電力ケーブル１０２は、流体入口２１２において機器に取り付けられ、電気接続部１００を介して内部配線に接続する。電気接続部１００は、オスコネクタ５０及びメスコネクタ７０という２つの部品を有する。オスコネクタ５０は、電力ケーブル１０２に取り付けられ、機器への入口地点及びその周囲における電力ケーブル１０２に対する張力を低下させるために、オスコネクタ５０に隣接して張力緩和部１０４が設けられる。使用中に電気接続部１００が回転すると、張力緩和部１０４が、電力ケーブル１０２に対する張力を低下させる。
【００３０】
次に、とりわけ図２ａ及び図７を参照しながら電気コネクタ１００の特徴について説明する。電力ケーブル１０２は２本の電線を含み、一方が送電線であり、他方が中性線である。オスコネクタ５０は、基本的に円筒状であり、長手方向に離間した２つのコネクタ５２、５４を含む。この実施形態では、第１のコネクタ５２が送電接続であり、第２のコネクタ５４が、電力ケーブル１０２からの対応する電線に接続する中立接続である。第１の電気接続部５２と第２の電気接続部５４との間には、２つの電気接続部を分離するセパレータ５６が設けられる。
【００３１】
次に、とりわけ図２ａ〜図２ｃを参照してメスコネクタを紹介する。メスコネクタ７０は、第１のコネクタ５２を受け取る第１のレセプタクル７２と、第２のコネクタ５４を受け取る第２のレセプタクル７４とを含む。第１及び第２のコネクタ５２、５４と同様に、第１及び第２のレセプタクル７２、７４も長手方向に離間する。この実施形態では、第１及び第２のコネクタが基本的に同一であるため、第１及び第２のレセプタクルも同一である。
【００３２】
第１及び第２のレセプタクル７２、７４は、第１及び第２のコネクタ５２、５４の挿入を可能にし且つ第１及び第２のコネクタ５２、５４を保持して電気的接触を維持するように、成形される。第１及び第２のレセプタクル７２、７４は、基本的にベース部分７６と、ベース部分７６から離れて延びる１対のアーム部又は直立部分８０とを有する「Ｕ」字形である。ベース部分７６からは、メスコネクタ７０にオスコネクタ５０を挿入する限界をもたらす第１の直線部分７８が延びる。第１の区分７８からは、オスコネクタ５０を受け取ってメスコネクタ７０内に保持するように適合された第２の区分８２が延びる。この第２の区分８２は、湾曲した凸状であり、オスコネクタ５０を、具体的には第１又は第２のコネクタ５２、５４の一方を受け取るように適合される。第２の区分８２からは、オスレセプタクルを第２の区分８２に向けて漏斗状にするように外向きにテーパ付けされた第３の区分８４が延びる。
【００３３】
第１及び第２のレセプタクル７２、７４は、オスコネクタ５０の挿入と、それぞれのレセプタクル７２、７４とコネクタ５２、５４との間の電気的接触の維持とを可能にするようにわずかに弾力性がある。直立部分８０は、外向きに撓んだ後に再び内向きに撓んで第１及び第２のコネクタ５２、５４の一方に接触する。
【００３４】
この実施形態では、メスコネクタ７０が不連続であり、実際には第３の部分に向かって延びる複数の異なる接続フィンガ８６を含む。実際には、メスコネクタ７０は、各フィンガ８６に沿って数多くの異なる接続領域に分割される。各直立部分８０は、第２及び第３の部分８２、８４に沿って個別に動くことができる数多くの接続フィンガ８６に分割される。これにより、各接続フィンガ８６が、数多くの接点をもたらす別個の直立部分８０として機能するので、接続の信頼性が向上する。
【００３５】
次に、図６に別のメスコネクタ１７０を示す。この別のメスコネクタ１７０は、中実のレセプタクル１７２、１７４を有し、すなわち各レセプタクルは、直立部分１７６の長さに沿って連続する。中実のレセプタクル１７２、１７４は、上述のように、それぞれのレセプタクル内における第１又は第２のコネクタ５２、５４の挿入と保持とを支援するように、成形される。これらの中実のレセプタクル１７２及び１７４は、第１及び第２のコネクタ５２、５４との適切な接触を維持し、最初に説明したレセプタクル７２、７４のフィンガ８６を形成するためのさらなる加工ステップを必要としないので安価に形成できるが、機器の内部部品を作動させるためにほぼ連続する電力供給が必要な場合には、最初に説明したレセプタクル７２、７４のフィンガ８６の方が好ましい。また、これらの部品は時間と共に摩耗するので、最初に説明したレセプタクル７２、７４のフィンガ８６の信頼性に比べると、中実のレセプタクル１７２、１７４の信頼性の方が低い。
【００３６】
図示の両メスレセプタクル７０、１７０は、完全に互換性がある。２つの異なるオスコネクタを参照しながら本発明を説明する。図７に単独で示すオスコネクタ５０は、図４の機器に挿入され、図８に単独で示す別のオスコネクタ１５０は、図５の対応するホルダーを用いて挿入される。オスコネクタ５０及び別のオスコネクタ１５０の特徴は多くが共通するので、同じ参照数字を使用する。主な違いは、オスコネクタ５０及び別のオスコネクタ１５０が機器１０から外れるのを防ぐ保持機構の位置に関連する。
【００３７】
とりわけ図３〜図５を参照すると、ハンドル２１０は、外壁２００及び内壁２２０を有する。内壁２２０は、機器の内部部品及び電気接続部１００のためのハウジング２２２を提供することを含む複数の機能を有する。本明細書で説明する電気接続部１００は、ユーザによって取り外されないように設計される。実際に、この電気接続部１００は、手持型機器における多くの接続部と同様に長手方向に挿入されるのではなく、そのロバスト性（堅固生）を高めるために機器の長手方向軸Ｘ−Ｘに直交して挿入される。ハウジング２２２は、メスコネクタ７０をハウジングに対して保持するホルダー２２４を有する。ホルダーは、第１のレセプタクル７２が配置される第１の区画２２６と、第２のレセプタクル７４が配置される第２の区画２２８とに分割される。第１の区画２２６と第２の区画２２８は、内壁２３０によって分離される。第１の区画２２６は、内壁２３０と、ホルダー２２４の内壁２２４ａの位置又はその付近に存在する半径方向壁２３２とによって定められる。内壁２３０及び半径方向壁２３２は、いずれもホルダー２２４の内面の周囲に広がるリングであると考えることができる。
【００３８】
また、ホルダー２２４は、一端に開口部２４を含む。この開口部２４は、ホルダー２２４及びホルダーカバー２４０の周囲に半径方向に広がって電力ケーブル１０２が機器内に入り込む入口地点を提供するリム２６によって定められる。
【００３９】
オスコネクタ５０をメスコネクタ７０に取り付けるには、オスコネクタ５０を軸Ｙ−Ｙに沿ってホルダー２２４内に挿入する。第１のコネクタ及び第２のコネクタを第１のレセプタクル７２及び第２のレセプタクル７４内にそれぞれ正しく挿入したら、オスコネクタ５０を覆ってホルダーカバー２４０を配置する。ホルダーカバー２４０は、ホルダー２２４内で内壁２３０が第１の区画２３６と第２の区画２３８の間で連続して半径方向に広がるように、第１の区画２２６、第２の区画２２８及び内壁２３０を補完する。
【００４０】
オスコネクタ５０及びホルダー２２４は、電気コネクタ１００がハウジング２２２に対して連続回転できるように支持面を有する。
【００４１】
オスコネクタ５０は長手方向に延び、張力緩和部１０４に隣接する第１の端部５０ａと、張力緩和部１０４から離れた第２の端部５０ｂとを有する。第１の端部５０ａに隣接して、第１の支持面５８が設けられる。第１の支持面５８は、第１及び第２の電気コネクタ５２及び５４の直径よりも大きな直径を有するオスコネクタの周囲で半径方向に広がる。オスコネクタ５０がメスコネクタ７０に対して回転する際にオスコネクタ５０に軸方向の安定性を与えるように、第１の支持面５８から軸方向に離間して、第２の支持面６０が設けられる。この実施形態では、第２の支持面６０が、オスコネクタ５０の第２の端部５０ｂの付近に存在する。第１及び第２の支持面５８、６０をオスコネクタ５０に沿って軸方向に離間させると、接続に安定性がもたらされるとともに、機器１０に対するオスコネクタ５０の軸方向の整列を保持する支援となる。
【００４２】
第１及び第２の支持面５８、６０は、オスコネクタの周囲で半径方向に広がるとともに、第１及び第２のコネクタ５２、５４よりも大きな直径を有するカラーであると考えることができる。第１の支持面５８は、ハウジング２２２の開口部２４のリム２６に係合する。第２の支持面６０は、半径方向壁２３２に係合する。
【００４３】
オスコネクタ５０及び別のオスコネクタ１５０は、オスコネクタ５０が開口部２４を通じて外れるのを防ぐように適合された保持機構を含む。第１の支持面５８と第２のコネクタ５４との間には、第１の支持面５８に隣接して第１の保持カラー９０が設けられる。第１の保持カラー９０は、開口部２４及び第１の支持面５８よりも大きな直径を有する。通常使用中には、機器１０に対してオスコネクタ５０が回転すると、第１の保持カラー９０の側面９２が開口部２４の内面２８に接して摺動する。
【００４４】
第２の保持カラー１１０も設けられる。第２の保持カラー１１０は、機器１０からオスコネクタ５０、１５０が外れるのを防ぐ第２の手段として設けられる。第１の保持カラー９０は、時間と共に摩耗して最終的には機能しなくなってしまうので、第２の保持カラー１１０が予備になる。この第２の保持カラー１１０は、オスコネクタ５０及び別のオスコネクタ１５０上の異なる位置に設けられる。
【００４５】
次に、とりわけ図７を参照すると、オスコネクタ５０は、第２の支持面６０に隣接する第２の端部５０ｂに位置する第２の保持カラー１１０を有する。第２の保持カラー１１０の直径は、第２の支持面６０よりも大きく、この実施形態では第１の保持カラー９０とほぼ同じ直径である。第２の保持カラー１１０の側面１１２は、半径方向壁２３２の側面２３４に係合する。
【００４６】
次に図８を参照すると、別のオスコネクタ１５０も第２の保持カラー１２０を含むが、この第２の保持カラー１２０はセパレータ５６に隣接し、この実施形態ではセパレータ５６と第１のコネクタ５２との間に存在する。ホルダー２２４は、内壁２３０に隣接する第２の内壁２３６を含むが、第２の内壁２３６がホルダー２２４のキャビティ内に半径方向に広がる度合いは、セパレータ２３０よりも小さい。第２の保持カラー１２０の側面１２２は、内壁２３０の側面２３８に係合する。
【００４７】
オスコネクタ５０及び別のオスコネクタ１５０は、円筒状のピンで形成され、この上にセパレータ５６と、第１及び第２の支持面５８、６０と、第１及び第２の保持カラー９０、１１０、１２０とがオーバーモールドされる。オーバーモールドされる部品は、ガラス充填ＰＯＭ（ポリオキシメチレン）などの耐摩耗性の高い低摩擦材料で形成されるが、当業者には、他のポリマー材料も適することが明らかであろう。
【００４８】
温風整髪装置を参照しながら本発明を説明したが、回転式コネクタは、以下に限定されるわけではないが、トング、ワンド又はアイロンなどのストレートアイロン、カーリング装置を含む、ユーザに対する機器の相対的回転が生じるあらゆる手持型機器で使用することができる。これらの例では、整髪過程において流体流を使用しないので、ハンドル２１０は、ファンユニットを含まずにヒーター又は加熱面を含み、これらを用いて整髪を行う。
【符号の説明】
【００４９】
１００  電気接続部
１０４  張力緩和部
５０  オスコネクタ
５２  第１のコネクタ
５４  第２のコネクタ
５６  セパレータ
７２  第１のレセプタクル
７４  第２のレセプタクル
８６  接続フィンガ
【図１】
2018043010.tif 000003
【図２ａ】
2018043010.tif 000004
【図２ｂ】
2018043010.tif 000005
【図２ｃ】
2018043010.tif 000006
【図３】
2018043010.tif 000007
【図４】
2018043010.tif 000008
【図５】
2018043010.tif 000009
【図６】
2018043010.tif 000010
【図７】
2018043010.tif 000011
【図８】
2018043010.tif 000012